(57)【要約】【課題】光ケーブルで発生するWanderを吸収する機能と遅延を補正する機能をモジュール化することにより、該光ケーブルで接続されるデジタル信号処理部、およびＡＭＰ部の構成を簡単にして、装置設計を容易にする。【解決手段】１つのデジタル信号処理部(101)と複数のＡＭＰ部(110)(111)(112)を光ケーブル(120)(121)(122)にて接続する構成をとるＷ−ＣＤＭＡ基地局において、各ＡＭＰ部とデジタル信号処理部(101)との距離はランダムであるので、デジタル信号処理部と各ＡＭＰ部とを接続する光ケーブルの間にWander吸収／遅延補正用モジュール(130)(131)(132)を接続し、このWander吸収／遅延補正用モジュール(130)(131)(132)で、デジタル信号処理部(101)と各ＡＭＰ部(110)(111)(112)間で発生する遅延時間差を補正するとともに、光ケーブルで発生するWanderを吸収する。【選択図】図１
2008099109.tif 000002
【特許請求の範囲】
【請求項１】
基地局に設けられたデジタル信号処理部とそれぞれ光ケーブルを用いて接続されるＡＭＰ部を備えた複数のセルを有するＷ−ＣＤＭＡ（Wideband-Code Division Multiple Access）基地局等の無線通信システムにおいて、
前記各光ケーブルで発生するＷａｎｄｅｒを吸収する機能およびケーブル長のばらつきによって発生する伝播遅延を補正する機能を備えたＷａｎｄｅｒ吸収／遅延補正用モジュールが、前記デジタル信号処理部および前記ＡＭＰ部とは独立した一つのモジュールとして前記光ケーブルに接続されていることを特徴とする無線通信システム。
【請求項２】
前記Ｗａｎｄｅｒ吸収／遅延補正用モジュールは、前記デジタル信号処理部と前記ＡＭＰ部を接続する光ケーブル間の任意の位置に接続されていることを特徴とする請求項１に記載の無線通信システム。
【請求項３】
請求項１または２に記載の無線通信システムにおける前記基地局のデジタル信号処理部と前記複数のセルのアンプ部を接続する各光ケーブルにそれぞれ接続される独立のモジュールとして構成され、前記光ケーブルで発生するＷａｎｄｅｒを吸収する機能とケーブル長のばらつきによって発生する伝播遅延を補正する機能を備えていることを特徴とするＷａｎｄｅｒ吸収／遅延補正用モジュール。
【請求項４】
前記デジタル信号処理部と接続された光ケーブルを介して入力される光信号を電気信号へ変換するＯ／Ｅ変換部と、該Ｏ／Ｅ変換部から出力されるシリアル信号をパラレル信号へ変換するとともに、前記シリアル信号に同期したリカバリーＣＬＫを抽出するＤｅｓ部と、前記変換されたパラレル信号に対して前記伝播遅延補正動作を行う遅延補正用ＦＩＦＯ部と、該遅延補正用ＦＩＦＯ部のＷｒｉｔｅアドレス／Ｒｅａｄアドレスの制御を行う第１のＷＲ／ＲＤアドレス制御部と、前記変換されたパラレル信号に対して前記Ｗａｎｄｅｒ吸収動作を行うＷａｎｄｅｒ吸収用ＦＩＦＯ部と、該Ｗａｎｄｅｒ吸収用ＦＩＦＯ部のＷｒｉｔｅアドレス／Ｒｅａｄアドレスの制御を行う第２のＷＲ／ＲＤアドレス制御部と、前記遅延補正用ＦＩＦＯ部および前記Ｗａｎｄｅｒ吸収用ＦＩＦＯ部で伝播遅延補正およびＷａｎｄｅｒ吸収されたパラレル信号をシリアル信号に変換するＳｅｒ部と、前記Ｄｅｓ部で抽出されたリカバリーＣＬＫを前記遅延補正用ＦＩＦＯ部と前記Ｗａｎｄｅｒ吸収用ＦＩＦＯ部および前記Ｓｅｒ部へ分配するＣＬＫバッファ部と、前記Ｄｅｓ部から出力される前記パラレル信号を入力して同期検出を行い同期検出時に前記第１および第２のＷＲ／ＲＤアドレス制御部にリセットパルスを出力する同期検出部と、前記伝播遅延補正の補正量を設定する第１のスイッチと、前記Ｗａｎｄｅｒ吸収用ＦＩＦＯ部の容量を設定する第２のスイッチと、前記Ｓｅｒ部が出力するシリアルデータを光信号へ変換し、光ケーブルを介して前記ＡＭＰ部へ出力するＥ／Ｏ変換部によって構成されていることを特徴とする請求項３に記載のＷａｎｄｅｒ吸収／遅延補正用モジュール。
【請求項５】
前記第１のＷＲ／ＲＤアドレス制御部は、前記第１のスイッチにより設定された前記伝播遅延補正の補正量に従って、前記遅延補正用ＦＩＦＯ部に指定したＷｒｉｔｅアドレスに、前記補正量に相当する遅延量だけ加算したアドレスを生成して前記遅延補正用ＦＩＦＯのＲｅａｄアドレスとして指定する機能を有し、前記第２のＷＲ／ＲＤアドレス制御部は、前記第２のスイッチにより設定された前記Ｗａｎｄｅｒ吸収用ＦＩＦＯ部の容量に従って、前記Ｗａｎｄｅｒ吸収用ＦＩＦＯ部に指定したＷｒｉｔｅアドレスに、前記容量に相当する遅延量だけ加算したアドレスを生成して前記Ｗａｎｄｅｒ吸収用ＦＩＦＯのＲｅａｄアドレスとして指定する機能を有していることを特徴とする請求項４に記載のＷａｎｄｅｒ吸収／遅延補正用モジュール。
【発明の詳細な説明】
【技術分野】
【０００１】
本発明は、無線通信基地局に設けられた１つのベースバンド処理部と、互いに離れた場所に設置されて前記ベースバンド処理部とそれぞれ光通信にて接続されたＡＭＰ部を備えている複数のセルからなるシステム等におけるＷａｎｄｅｒの吸収ならびに遅延補正技術に関する。
【背景技術】
【０００２】
現在、Ｗ−ＣＤＭＡ（Wideband-Code Division Multiple Access）基地局など無線通信基地局の装置構成において、ベースバンド処理部とＡＭＰ部を分けてその間を光通信にて接続する構成が検討されている。このような構成のメリットとしては、１つのベースバンド処理部を設置することにより複数のＡＭＰ部を離れた場所に簡単に設置することが可能となりセル数の増加が容易に行える事や、ＡＭＰ部のみの置き換えでセルの構成を容易に変更可能な事などが挙げられる。
【０００３】
しかし、このような光通信を用いてベースバンド処理部とＡＭＰ部を接続するシステムにおける問題点の一つとしてＷａｎｄｅｒが挙げられる。Ｗａｎｄｅｒは変動周波数がＤＣ〜１０Ｈｚ程度のゆっくりとした位相変動であり、光ファイバやケーブルの温度変動に起因して発生する。このＷａｎｄｅｒ成分により光信号の伝播遅延が時間により変化し、受信側の装置にてデータがスリップすることによりデータ誤りが発生することがある。
【０００４】
このＷａｎｄｅｒ成分を吸収する方法として、ＰＬＬを利用する方法やメモリを利用する方法などが検討されている（特許文献１〜４等参照）。これらの特許文献に記載の発明では、装置内の受信部で受信された信号に対して該装置内にＷａｎｄｅｒ成分を吸収するための回路を備えることによって、装置内においてＷａｎｄｅｒ成分を吸収する方法が採用されている。
【０００５】
また、もう一つの問題点として、各ＡＭＰ部間の設置位置（ベースバンド処理部との距離）の違いによって発生する光ケーブルの信号伝搬遅延時間がある。１つのベースバンド処理部と複数のＡＭＰ部の間で高速デジタル通信を行う場合、各ＡＭＰ部間の距離差が大きくなることや、ケーブルの状態などの要因によりベースバンド信号に遅延ばらつきが生じてしまう。
【０００６】
複数のＡＭＰ部の下り信号において時間的なばらつきを保持したまま以降の処理を行っても良いシステムであれば遅延ばらつきが生じても特に問題はないが、例えばダイバーシチ送信や、ＩＰＤＬ（Idle Period Down Link）サービス等、各ＡＭＰ部間においてデータの遅延ばらつきを保持したまま以降の処理を行ってはならないシステムの場合、発生した遅延に対して補正をかける回路を追加しなければならない。
【０００７】
このような複数のＡＭＰ処理部の遅延時間を補正する方法として、ＧＰＳシステムを利用する方法、あるいはデジタル信号処理部やＡＭＰ部に遅延補正用回路を追加する方式が考えられている（特許文献５〜６等参照）。
【０００８】
図３は、Ｗ−ＣＤＭＡ基地局など無線通信基地局の装置構成において、ベースバンド処理部とＡＭＰ部を分けてその間を光ケーブルによって接続した従来の装置構成のイメージを示す概略ブロック図である。
【０００９】
図３に示すＷ−ＣＤＭＡ基地局においては、デジタル信号処理部（３０１）と複数のＡＭＰ部（３１０）（３１１）（３１２）は、それぞれ光ケーブル（３２０）（３２１）（３２２）にて接続されており、また、各ＡＭＰ部とデジタル信号処理部との距離はランダムである。そのため、デジタル信号処理部（３０１）もしくはＡＭＰ部（３１０）（３１１）（３１２）には、デジタル信号処理部（３０１）と各ＡＭＰ部（３１０）（３１１）（３１２）間の距離差による光ケーブルの信号伝搬遅延時間差を補正するために、遅延補正用の回路（３０２）（３０３）（３０４）、もしくは（３１３）（３１４）（３１５）が設けられている。
【００１０】
【特許文献１】特開２０００−３２３９８２号公報
【特許文献２】特開昭６２−２９０２２２号公報
【特許文献３】特開平５−２４４１２９号公報
【特許文献４】特開平８−３３５９１５号公報
【特許文献５】特開平８−３０７９２９号公報
【特許文献６】特開２００４−２２２０８８号公報
【発明の開示】
【発明が解決しようとする課題】
【００１１】
前述のようにＷａｎｄｅｒ量は温度変動により変化し、装置の設置環境によって影響が異なってくる。従って、設計時の装置設置環境と異なる温度環境化に装置を設置する必要が生じた際には、装置内のＷａｎｄｅｒ成分を吸収するための回路を再設計する必要が生じ、この装置の再設計に伴うコストならびに時間がかかってしまうことがある。また、このような事態を避けるために予め装置の持つＷａｎｄｅｒ耐力を大きく設計しておくことにより対処することも可能であるが、それにより装置自体のコストが上がってしまうという問題点がある。
【００１２】
また、図３に示す遅延補正システムでは、遅延補正用の回路をデジタル信号処理部もしくはＡＭＰ部に直接持つ構成であるために装置コストが上がってしまう。さらにこの場合においても、設計時の装置設置環境と異なる状況に対応すべく装置構成を変更する際に、装置が持つ補正能力以上の補正が必要になった場合には、装置を再設計する必要が生じ、コストならびに時間がかかってしまうという問題点がある。
【００１３】
本発明の目的は、上記問題点に鑑み、Ｗ−ＣＤＭＡ基地局等の無線通信システムの中でデジタル信号処理部と複数のＡＭＰ部を、光ケーブルを用いて接続したシステムにおいて、前記デジタル信号処理部とＡＭＰ部での回路規模を少なくするとともに、Ｗａｎｄｅｒや伝播遅延を考慮することなく前記デジタル信号処理部およびＡＭＰ部の設計を可能にし、装置コストを下げることを可能にする手段を提供することにある。
【課題を解決するための手段】
【００１４】
本発明は、Ｗ−ＣＤＭＡ（Wideband-Code Division Multiple Access）基地局等の無線通信システムの中でデジタル信号処理部とそれぞれ光ケーブルを用いて接続された複数のＡＭＰ部を配置した無線通信システムにおいて、前記各光ケーブルで発生するＷａｎｄｅｒを吸収する機能およびケーブル長のばらつきによって発生する伝播遅延を補正する機能を備えたモジュールを、前記デジタル信号処理部およびＡＭＰ部とは独立した一つのモジュールとして構成したことを特徴としている。
【００１５】
このＷａｎｄｅｒ吸収／遅延補正用モジュールは、前記デジタル信号処理部と前記ＡＭＰ部を接続する光ケーブルの間に接続することができる。
【００１６】
また本発明の無線通信システムにおいて用いられるＷａｎｄｅｒ吸収ならびに遅延補正用モジュールは、基地局のデジタル信号処理部と前記セルのアンプ部を接続する光ケーブルに接続されて、前記光ケーブルで発生するＷａｎｄｅｒを吸収する機能と前記各ケーブル長のばらつきによって発生する伝播遅延を補正する機能を備えたモジュールとして構成されている。
【００１７】
このＷａｎｄｅｒ吸収／遅延補正用モジュールは、前記デジタル信号処理部と接続された光ケーブルを介して入力される光信号を電気信号へ変換するＯ／Ｅ変換部と、該Ｏ／Ｅ変換部から出力されるシリアル信号をパラレル信号へ変換するとともに、前記シリアル信号に同期したリカバリーＣＬＫを抽出するＤｅｓ部と、前記変換されたパラレル信号に対して前記伝播遅延補正を行うのに十分な容量を持った遅延補正用ＦＩＦＯ部と、該遅延補正用ＦＩＦＯ部のＷｒｉｔｅアドレス／Ｒｅａｄアドレスの制御を行う第１のＷＲ／ＲＤアドレス制御部と、前記変換されたパラレル信号に対して前記Ｗａｎｄｅｒを吸収するのに十分な容量を持ったＷａｎｄｅｒ吸収用ＦＩＦＯ部と、該Ｗａｎｄｅｒ吸収用ＦＩＦＯ部のＷｒｉｔｅアドレス／Ｒｅａｄアドレスの制御を行う第２のＷＲ／ＲＤアドレス制御部と、前記遅延補正用ＦＩＦＯ部および前記Ｗａｎｄｅｒ吸収用ＦＩＦＯ部で伝播遅延補正およびＷａｎｄｅｒ吸収されたパラレル信号をシリアル信号に変換するＳｅｒ部と、前記Ｄｅｓ部で抽出されたリカバリーＣＬＫを前記遅延補正用ＦＩＦＯ部と前記Ｗａｎｄｅｒ吸収用ＦＩＦＯ部および前記Ｓｅｒ部へ分配するＣＬＫバッファ部と、前記Ｄｅｓ部から出力される前記パラレル信号を入力して同期検出を行い同期検出時に前記第１および第２のＷＲ／ＲＤアドレス制御部にリセットパルスを出力する同期検出部と、前記伝播遅延補正の補正量を設定する第１のスイッチと、前記Ｗａｎｄｅｒ吸収用ＦＩＦＯ部の容量を設定する第２のスイッチと、前記Ｓｅｒ部が出力するシリアルデータを光信号へ変換し、光ケーブルを介して前記ＡＭＰ部へ出力するＥ／Ｏ変換部によって構成することができる。
【００１８】
前記第１のＷＲ／ＲＤアドレス制御部は、前記第１のスイッチにより設定された前記伝播遅延補正の補正量に従って、前記遅延補正用ＦＩＦＯ部に指定したＷｒｉｔｅアドレスに、前記補正量に相当する遅延量だけ加算したアドレスを生成して前記遅延補正用ＦＩＦＯのＲｅａｄアドレスとして指定する機能を有し、前記第２のＷＲ／ＲＤアドレス制御部は、前記第２のスイッチにより設定された前記Ｗａｎｄｅｒ吸収用ＦＩＦＯ部の容量に従って、前記Ｗａｎｄｅｒ吸収用ＦＩＦＯ部に指定したＷｒｉｔｅアドレスに、前記容量に相当する遅延量だけ加算したアドレスを生成して前記Ｗａｎｄｅｒ吸収用ＦＩＦＯのＲｅａｄアドレスとして指定する機能を有している。
【００１９】
本発明の無線通信システムでは、デジタル信号処理部と複数のＡＭＰ部を接続している光ケーブルで発生するＷａｎｄｅｒを吸収する機能とケーブル長のばらつきによって発生する伝播遅延を補正する機能を一つのモジュールとして各光ケーブル中に接続する構成としているので、デジタル信号処理部と各ＡＭＰ部での回路規模を小さくすることができるとともに、デジタル信号処理部および各ＡＭＰ部ではＷａｎｄｅｒや伝播遅延を殆ど考慮することなく設計できるので、装置の増設を容易に実施することが可能になる。
【発明の効果】
【００２０】
本発明は、Ｗａｎｄｅｒ吸収機能と遅延補正機能を、デジタル信号処理部、およびＡＭＰ部から独立したモジュールとして構成しているので、装置設計の際にデジタル信号処理部、およびＡＭＰ部にはＷａｎｄｅｒ吸収機能並びに遅延補正機能を盛り込まず設計が可能となり、これらの装置設計が容易となる。
【００２１】
また、Ｗａｎｄｅｒ吸収機能と遅延補正機能をモジュール化しているのでしているので、既設計の装置に対して設計値以上のＷａｎｄｅｒが発生する装置構成や設計値以上の遅延補正が必要な装置構成に対しても容易に対処することができる。
【００２２】
さらに、本発明のモジュールには、Ｗａｎｄｅｒ吸収量ならびに遅延補正量を設定することが可能なスイッチを持つことにより、様々な装置構成に容易に対応することができる。
【発明を実施するための最良の形態】
【００２３】
図１は、本発明の実施形態をＷ−ＣＤＭＡ基地局に適用した場合の装置全体構成を示す概略ブロック図である。
【００２４】
本実施形態のＷ−ＣＤＭＡ基地局は、１つのデジタル信号処理部（１０１）と複数のＡＭＰ部（１１０）（１１１）（１１２）を光ケーブル（１２０）（１２１）（１２２）にて接続する構成をとる。各ＡＭＰ部とデジタル信号処理部との距離（光ケーブル長）はランダムに設定可能である。ここではＡＭＰ部＃１（１１１）とデジタル信号処理部（１０１）間の距離が最も遠く（設置距離；ｘ）、ＡＭＰ部＃１（１１０）とデジタル信号処理部（１０１）間の設置距離、およびＡＭＰ部＃１（１１２）とデジタル信号処理部（１０１）間の設置距離はそれぞれ、ｘ−ｙ、ｘ−ｚとする。
【００２５】
本実施形態においては、デジタル信号処理部（１０１）と各ＡＭＰ部（１１０）（１１１）（１１２）とを接続する光ケーブル（１２０）（１２１）（１２２）に、それぞれ本発明のＷａｎｄｅｒ吸収／遅延補正用モジュール（１３０）（１３１）（１３２）を接続し、このＷａｎｄｅｒ吸収／遅延補正用モジュール（１３０）（１３１）（１３２）により、各光ケーブル（１２０）（１２１）（１２２）で発生するＷａｎｄｅｒを吸収するとともにケーブル長のばらつきによって発生する伝播遅延を補正している。
【００２６】
図２は、本実施形態におけるにＷａｎｄｅｒ吸収／遅延補正用モジュールの詳細構成を示すブロック図である。図１のＷａｎｄｅｒ吸収／遅延補正用モジュール（１３０）（１３１）（１３２）は、いずれも図２に示すＷａｎｄｅｒ吸収／遅延補正用モジュール（２００）の構成を備えており、また図２に示されている光ケーブル（２０１）及び（２０２）は、図１の光ケーブル（１２０）（１２１）（１２２）のいずれかと対応するものである。
【００２７】
図２に示すように、本実施形態のＷａｎｄｅｒ吸収／遅延補正用モジュール（２００）は、デジタル信号処理部と接続する光ケーブル（２０１）と、デジタル信号処理部が出力する光信号を電気信号へ変換するＯ／Ｅ変換部（２１０）と、Ｏ／Ｅ変換部（２１０）が出力するシリアル信号をパラレル信号へ変換し、且つシリアル信号に同期したリカバリーＣＬＫ（クロック）を抽出するＤｅｓ部（２１２）と、Ｄｅｓ部（２１２）が出力するリカバリーＣＬＫを各ブロックへ分配を行うＣＬＫバッファ部（２１３）と、Ｄｅｓ部（２１２）が出力するパラレル信号を使用して同期検出を行い同期検出時にリセットパルスを出力する同期検出部（２１１）と、遅延補正を行うのに十分な容量を持った遅延補正用ＦＩＦＯ（first in first out）部（２１６）と、遅延補正用ＦＩＦＯ部（２１６）のＷｒｉｔｅアドレス／Ｒｅａｄアドレスの制御を行うＷＲ／ＲＤアドレス制御部（２１５）と、遅延補正の補正量を設定するスイッチＳＷ＃１（２１４）と、Ｗａｎｄｅｒを吸収するのに十分な容量を持ったＷａｎｄｅｒ吸収用ＦＩＦＯ部（２１９）と、Ｗａｎｄｅｒ吸収用ＦＩＦＯ部（２１９）のＷｒｉｔｅアドレス／Ｒｅａｄアドレスの制御を行うＷＲ／ＲＤアドレス制御部（２１８）と、Ｗａｎｄｅｒ吸収用ＦＩＦＯ部（２１９）の容量を設定するスイッチＳＷ＃２（２１７）と、Ｗａｎｄｅｒ吸収用ＦＩＦＯ部（２１９）が出力するパラレルデータをシリアルデータに変換するＳｅｒ部（２２０）と、Ｓｅｒ部が出力するシリアルデータを光信号へ変換するＥ／Ｏ変換部（２２１）と、ＡＭＰ部と接続する光ケーブル（２０２）で構成されている。
【００２８】
次に、本実施形態の詳細動作について、図１、図２を参照して説明する。
【００２９】
システム起動前に、スイッチＳＷ＃１（２１４）ならびにスイッチＳＷ＃２（２１７）に適切な値を設定する。ここで各スイッチＳＷ＃１（２１４）、スイッチＳＷ＃２（２１７）に設定される値について説明する。
【００３０】
まず、スイッチＳＷ＃１（２１４）には光ケーブルの遅延補正時間が設定される。この遅延補正は、デジタル信号処理部（１０１）と各ＡＭＰ部（１１０）、（１１１）、（１１２）間を接続するそれぞれの光ケーブル＃０（１２０），＃１（１２１），＃２（１２２）の長さの違いによって発生する伝播遅延の補正を行うことを目的としている。
【００３１】
図１の例では、光ケーブル＃０（１２０）、＃１（１２１）、＃２（１２２）の長さはそれぞれ（ｘ−ｙ）、ｘ、（ｘ−ｚ）であるので、最も長い光ケーブル＃１（１２１）の伝播遅延量を基準として、各Ｗａｎｄｅｒ吸収／遅延補正用モジュールで信号を遅延させることにより、最も長い光ケーブル＃１（１２１）の伝播遅延量とその他の光ケーブル＃０，＃２の伝播遅延量を揃えることができる。そのために図１の場合、Ｗａｎｄｅｒ吸収／遅延補正用モジュール（１３０）には長さ“ｙ”に相当する遅延量を、Ｗａｎｄｅｒ吸収／遅延補正用モジュール（１３１）には“０”の遅延量を、Ｗａｎｄｅｒ吸収／遅延補正用モジュール（１３２）には長さ“ｚ”に相当する遅延量を、それぞれのスイッチＳＷ＃１により設定する。
【００３２】
また、スイッチＳＷ＃２（２１７）には光ケーブルで発生するＷａｎｄｅｒを吸収することができる時間が設定される。一般的にＷａｎｄｅｒは光ケーブルのケーブル長、材質、温度によって算出することが可能である。そこで、各光ケーブル＃０（１２０）、＃１（１２１）、＃２（１２２）のケーブル長、材質、および使用される環境の温度から算出したＷａｎｄｅｒ量＋α（マージン）分の時間をスイッチＳＷ＃２（２１７）に設定する。
【００３３】
次に、システム起動後の本実施形態の動作について説明する。
【００３４】
デジタル信号処理部(１０１)が各光ケーブルにシリアルデータからなる光信号を出力すると、該光信号は光ケーブル（２０１）を通ってＷａｎｄｅｒ吸収／遅延補正用モジュール（２００）のＯ／Ｅ変換部（２１０）にそれぞれ入力される。Ｏ／Ｅ変換部（２１０）では、入力された光信号を電気信号に変換しＤｅｓ部（２１２）へシリアル信号を出力する。Ｄｅｓ部（２１２）では入力してくるシリアル信号をパラレル信号に変換し、遅延補正用ＦＩＦＯ部（２１６）、および同期検出部（２１１）へパラレル信号を出力するとともに、シリアル信号からリカバリーＣＬＫを抽出して、ＣＬＫ（クロック）バッファ部（２１３）へ出力する。
【００３５】
ＣＬＫバッファ部（２１３）は、入力されたリカバリーＣＬＫを、遅延補正用ＦＩＦＯ部（２１６）およびＷａｎｄｅｒ吸収用ＦＩＦＯ部（２１９）におけるデータ書き込み読出し動作、およびＤｅｓ部（２１２）におけるシリアル／パラレル変換動作のための同期用クロックとして、遅延補正用ＦＩＦＯ部（２１６）、Ｗａｎｄｅｒ吸収用ＦＩＦＯ部（２１９）およびＳｅｒ部（２２０）にそれぞれ分配する。
【００３６】
同期検出部（２１１）は、Ｄｅｓ部（２１２）から入力されたパラレル信号中の同期情報を監視し、同期情報を検出した際にリセットパルスをＷＲ／ＲＤアドレス制御部（２１５）および（２１８）へ出力する。これは、光信号が入力していない際にモジュールが動作し始めると、遅延補正用ＦＩＦＯ（２１６）とＷａｎｄｅｒ吸収用ＦＩＦＯ（２１９）で遅延量がずれる可能性があるため、遅延量をスイッチＳＷ＃１（２１４）、スイッチＳＷ＃２（２１７）で設定した値に初期化するために設けられている。
【００３７】
Ｄｅｓ部（２１２）より出力されたパラレルデータは、ＷＲ／ＲＤアドレス制御部（２１５）により指定されたＷｒｉｔｅアドレスで遅延補正用ＦＩＦＯ（２１６）に書き込まれ、ＷＲ／ＲＤアドレス制御部（２１５）で指定されたＲｅａｄアドレスで遅延補正用ＦＩＦＯ（２１６）から読み出される。その際、ＷＲ／ＲＤアドレス制御部（２１５）は、スイッチＳＷ＃１（２１４）で設定された遅延量だけＷｒｉｔｅアドレスに加算したアドレスを生成し、遅延補正用ＦＩＦＯ（２１６）のＲｅａｄアドレスとして指定する。
【００３８】
遅延補正用ＦＩＦＯ部（２１６）より読み出されたパラレルデータは、ＷＲ／ＲＤアドレス制御部（２１８）により指定されたＷｒｉｔｅアドレスでＷａｎｄｅｒ吸収用ＦＩＦＯ（２１９）に書き込まれ、ＷＲ／ＲＤアドレス制御部（２１８）で指定されたＲｅａｄアドレスでＷａｎｄｅｒ吸収用ＦＩＦＯ（２１９）から読み出される。その際、ＷＲ／ＲＤアドレス制御部（２１８）は、スイッチＳＷ＃２（２１７）で設定された遅延量だけＷｒｉｔｅアドレスに加算したアドレスを生成し、Ｗａｎｄｅｒ吸収用ＦＩＦＯ（２１９）のＲｅａｄアドレスとして指定する。
【００３９】
Ｗａｎｄｅｒ吸収用ＦＩＦＯ（２２０）より読み出したパラレルデータは、Ｓｅｒ部（２２０）に入力されてシリアルデータに変換され、Ｅ／Ｏ変換部（２２１）へ出力される。Ｅ／Ｏ変換部（２２１）では入力されたシリアルデータを光信号に変換し、ＡＭＰ部と接続している光ケーブル（２０２）へ光信号として出力する。この一連の動作により、光ケーブル（２０１）より入力した光信号は、本発明であるモジュールを通過することにより適切な遅延補正およびＷａｎｄｅｒを吸収されて光ケーブル（２０２）に出力される。
【図面の簡単な説明】
【００４０】
【図１】本発明の実施形態をＷ−ＣＤＭＡ基地局に適用した場合の装置全体構成を示す概略ブロック図である。
【図２】本実施形態におけるにＷａｎｄｅｒ吸収／遅延補正用モジュールの詳細な構成を示すブロック図である。
【図３】従来の装置構成のイメージを示す概略ブロック図である。
【符号の説明】
【００４１】
１０１  デジタル信号処理部
１１０，１１１，１１２  ＡＭＰ部
１２０，１２１，１２２，２０１，２０２  光ケーブル
１３０，１３１，１３２，２００  Ｗａｎｄｅｒ吸収／遅延補正用モジュール
２１０  Ｏ／Ｅ変換部
２１１  同期検出部
２１２  Ｄｅｓ部
２１３  ＣＬＫバッファ部
２１４，２１７  スイッチ部
２１５，２１８  ＷＲ／ＲＤアドレス制御部
２１６  遅延補正用ＦＩＦＯ部
２１９  Ｗａｎｄｅｒ吸収用ＦＩＦＯ部
２２０  Ｓｅｒ部
２２１  Ｅ／Ｏ変換部
【図１】
2008099109.tif 000003
【図２】
2008099109.tif 000004
【図３】
2008099109.tif 000005